(57)【要約】      （修正有）【課題】不適切な釣糸の放出操作を行なった場合でも、ロータの回転数が過度に上昇するのを抑制できる魚釣用スピニングリールを提供する。【解決手段】ベールアーム機構27は、釣糸巻き取り位置と釣糸放出位置との間で反転可能である。逆転防止機構31は、釣糸を巻き取る方向へのロータ15の正回転を許容するとともにロータ15の逆回転を禁止するＯＮ位置と、ロータ15の正・逆回転を許容するＯＦＦ位置との間で切り換えが可能である。制動機構は、逆転防止機構31がＯＦＦ位置に切り換えられた状態でロータ15が少なくとも逆回転した時にロータ15に制動力を付与し、逆転防止機構31がＯＮ位置に切り換えられた時にロータ15に対する制動力の付与を解除する。【選択図】図１
2009153496.tif 000002
【特許請求の範囲】
【請求項１】
釣糸を巻き取る際に操作するハンドルを有するリール本体と、
上記リール本体に支持され、上記ハンドルの操作に連動して回転するロータと、
上記ロータに設けられ、釣糸をスプールに導く釣糸巻き取り位置と釣糸をスプールから放出する釣糸放出位置との間で反転可能なベールアーム機構と、
釣糸を巻き取る方向への上記ロータの正回転を許容するとともに釣糸を巻き取る方向とは逆方向への上記ロータの逆回転を禁止するＯＮ位置と、上記ロータの正回転および逆回転を許容するＯＦＦ位置との間で切り換えが可能な逆転防止機構と、を具備する魚釣用スピニングリールであって、
上記逆転防止機構がＯＦＦ位置に切り換えられた状態で上記ロータが少なくとも逆回転した時に上記ロータに制動力を付与するとともに、上記逆転防止機構がＯＮ位置に切り換えられている時に上記ロータに対する制動力の付与を解除する制動機構をさらに備えていることを特徴とする魚釣用スピニングリール。
【請求項２】
請求項１の記載において、上記制動機構は、上記ロータに制動力を付与する制動位置と、上記ロータに対する制動力の付与を解除する制動解除位置との間で移動可能な制動部材を有することを特徴とする魚釣用スピニングリール。
【請求項３】
請求項２の記載において、上記逆転防止機構を上記ＯＦＦ位置又は上記ＯＮ位置に操作する切り換え機構をさらに備えており、この切り換え機構は、上記逆転防止機構を上記ＯＦＦ位置に切り換えた時に上記制動部材を制動位置に移動させるとともに、上記逆転防止機構を上記ＯＮ位置に切り換えた時に上記制動部材を制動解除位置に移動させることを特徴とする魚釣用スピニングリール。
【請求項４】
請求項３の記載において、上記制動部材は、上記制動位置に移動された時に、上記ロータの筒部の内面に接触することで、上記ロータに直接制動力を付与することを特徴とする魚釣用スピニングリール。
【請求項５】
請求項３の記載において、上記制動部材は、上記制動位置に移動された時に、上記ロータと連動して回転する回転部材に接触することで、上記ロータに間接的に制動力を付与することを特徴とする魚釣用スピニングリール。
【発明の詳細な説明】
【技術分野】
【０００１】
本発明は、釣糸を巻き取る方向および釣糸を巻き取り方向とは逆方向に回転可能なロータを有する魚釣用スピニングリールに係り、特に釣糸を放出する時のロータの過度の回転を抑制するための構造に関する。
【背景技術】
【０００２】
魚釣用スピニングリールは、釣糸を巻き付けるスプールと、釣糸を巻き取る際のハンドル操作に追従して回転するロータを備えている。ロータは、リール本体に支持された筒部と、筒部のリール本体側の端部からスプールに向けて突出する一対のアーム部とを有し、これらアーム部の先端の間にベールアーム機構が取り付けられている。
【０００３】
ベールアーム機構は、アーム部の先端に回動可能に支持された一対のベール支持部材と、これらベール支持部材の間に跨るベールとを含み、一方のベール支持部材に釣糸案内部としてのラインローラが設けられている。ベールアーム機構は、釣糸巻き取り位置と釣糸放出位置との間で反転可能であるとともに、釣糸巻取り位置又は釣糸放出位置のいずれかに選択的に振り分けて保持されるようになっている。
【０００４】
ベールアーム機構が釣糸巻き取り位置に回動された状態では、ベールおよびラインローラがスプールの外周面と向かい合うように位置するとともに、釣糸がラインローラを経由してスプールの外周面に導かれている。ベールアーム機構が釣糸放出位置に回動された状態では、ベールがスプールの外周面から離脱している。そのため、仕掛けを投擲する時のような釣糸の放出操作は、ベールアーム機構を釣糸巻き取り位置から釣糸放出位置に起こした状態で行われる。
【０００５】
一方、魚釣用スピニングリールは、スプールから釣糸が放出される時に、ロータが釣糸を巻き取る方向とは逆方向に回転するのを防ぐ逆転防止機構を装備している。逆転防止機構は、釣糸を巻き取る方向へのロータの正回転を許容するとともに釣糸を巻き取る方向とは逆方向へのロータの逆回転を禁止するＯＮ位置と、ロータの正回転および逆回転を共に許容するＯＦＦ位置との間で切り換えが可能となっている。逆転防止機構の切り換え操作は、リール本体の外に露出する切り換えレバーを釣人が手で操作することにより実行される。
【０００６】
ところで、例えば仕掛けを投擲する際には、釣人は、切り換えレバーを介して逆転防止機構をＯＮ位置に切り換えるととともに、ベールアーム機構を釣糸放出位置に起こしてから釣竿をスイングする。仕掛けの飛距離を大きくするため、釣竿を勢いよくスイングした場合に、釣竿からリール本体に加わる衝撃や慣性等によりロータが釣糸を巻き取る方向に回転することがあり得る。これにより、ベールアーム機構が釣糸放出位置から釣糸巻き取り位置に復帰してしまい、釣糸が切れたりロータが破損することがある。
【０００７】
このような不具合を改善するため、特許文献１に開示された魚釣用スピニングリールでは、ベールアーム機構を釣糸放出位置に回動させた時に、ロータが釣糸巻き取り方向に回転するのを防ぐ回転規制機構を付設している。
【０００８】
回転規制機構は、ロータの一方のアーム部に設けられたロータ側規制体と、リール本体の前部に設けられたリール側規制体とを備えている。ロータ側規制体は、ベールアーム機構を釣糸放出位置に回動させた時に、リール本体側に移動して、リール側規制体に当接するようになっている。
【０００９】
この構成によれば、例えば仕掛けを投擲する際には、逆転防止機構によるロータの逆転防止機能と、回転規制機構によるロータの回転防止機能とが相乗的に作用する。そのため、ロータの不用意な回転やがたつきが解消され、ベールアーム機構を釣糸放出位置に確実に保持することができる。
【特許文献１】特開２００２−２８１８７３号公報
【発明の開示】
【発明が解決しようとする課題】
【００１０】
従来の魚釣用スピニングリールによると、例えば仕掛けを投擲する際には、釣人は、逆転防止機構をＯＮ位置に切り換えるとともに、ベールアーム機構を釣糸放出位置に起こした状態で、釣竿を狙ったポイントに向けてスイングする。
【００１１】
この際、例えば、釣人が咄嗟の判断、又はうっかりとして逆転防止機構をＯＦＦ位置としたままベールアーム機構を釣糸放出位置に起こさずに投擲操作を行なった場合、勢いよく放出された釣糸によって釣糸巻き取り位置にあるラインローラが強く引っ張られてしまう。これにより、ロータが釣糸を放出する方向に超高速で回転して、ロータの各部に衝撃的な負荷が加わることがあり、ロータが破損するといった問題が生じてくる。
【００１２】
すなわち、釣人がキャスティングの基本を無視して不適切な投擲操作を実行した場合は、ロータの逆転防止機構および回転規制機構は何等機能しないことになる。したがって、魚釣用スピニングリールを製造するに当っては、様々な釣場の状況の下で予期しない投擲操作が行なわれることを見越してロータの破損対策を講じることが必要であり、これを実現する上での具体的な対応が求められている。
【００１３】
本発明の目的は、誤って逆転防止機構をＯＦＦ位置としたままベールアーム機構を釣糸放出位置に起こさずに釣糸の放出操作を行なった場合でも、ロータの回転数が過度に上昇するのを抑制でき、ロータの破損等の問題を回避できる魚釣用スピニングリールを得ることにある。
【課題を解決するための手段】
【００１４】
上記目的を達成するため、本発明の一つの形態に係る魚釣用スピニングリールは、  
釣糸を巻き取る際に操作するハンドルを有するリール本体と、  
上記リール本体に支持され、上記ハンドルの操作に連動して回転するロータと、  
上記ロータに設けられ、釣糸をスプールに導く釣糸巻き取り位置と釣糸をスプールから放出する釣糸放出位置との間で反転可能なベールアーム機構と、  
釣糸を巻き取る方向への上記ロータの正回転を許容するとともに釣糸を巻き取る方向とは逆方向への上記ロータの逆回転を禁止するＯＮ位置と、上記ロータの正回転および逆回転を許容するＯＦＦ位置との間で切り換えが可能な逆転防止機構と、を具備するとともに、  
上記逆転防止機構がＯＦＦ位置に切り換えられた状態で上記ロータが少なくとも逆回転した時に上記ロータに制動力を付与するとともに、上記逆転防止機構がＯＮ位置に切り換えられている時に上記ロータに対する制動力の付与を解除する制動機構をさらに備えていることを特徴としている。
【発明の効果】
【００１５】
本発明によれば、たとえロータが正逆回転可能な時にベールアーム機構を釣糸放出位置に移動させずに釣糸の放出操作を行なったとしても、釣糸により引っ張られて逆方向に回転するロータに制動力が付与される。したがって、ロータが逆方向に超高速で回転するのを防止でき、ロータに加わる負荷を軽減できる。
【発明を実施するための最良の形態】
【００１６】
以下本発明の第１の実施の形態を、図１ないし図３に基づいて説明する。
【００１７】
図１は、魚釣用スピニングリール１を開示している。スピニングリール１は、金属製のリール本体２を備えている。リール本体２は、その上端から上向きに延びる脚部３を有している。脚部３は、図示しない釣竿のリールシートに固定される。
【００１８】
リール本体２は、脚部３と一体化されたリールボディ４と、リールボディ４の左側面を覆う蓋部材５ａと、リールボディ４の後端を閉じる後部キャップ５ｂとを備えている。リールボディ４、蓋部材５ａおよび後部キャップ５ｂは、リール本体２の内部に中空のギヤボックス６を形成している。
【００１９】
リールボディ４の前端に円筒部７が一体に形成されている。円筒部７は、ギヤボックス６の前方に向けて突出している。円筒部７とギヤボックス６との間は、隔壁８によって仕切られている。
【００２０】
図１に示すように、リール本体２のギヤボックス６にハンドル軸９が回転自在に支持されている。ハンドル軸９は、円筒部７と直交するように水平に配置されている。ハンドル軸９の上にドライブギヤ１０が同軸状に固定されている。ハンドル軸９の一端は、リール本体２の側方に突出している。ハンドル軸９の一端に釣人が釣糸を巻き取る際に操作するハンドル１１が取り付けられている。
【００２１】
円筒部７の内側に駆動軸筒１３が同軸状に挿通されている。駆動軸筒１３は、隔壁８を貫通するとともに、リールボディ４に複数の軸受１４を介して回転自在に支持されている。駆動軸筒１３の前部は、円筒部７からリール本体２の前方に突出している。
【００２２】
駆動軸筒１３の前部に金属製のロータ１５が取り付けられている。ロータ１５は、駆動軸筒１３が貫通するボス部１６と、円筒状の筒部１７とを有している。ボス部１６は、駆動軸筒１３と一体に回転するようにロックナット１８を介して駆動軸筒１３に固定されている。筒部１７は、リール本体２の円筒部７を外側から同軸状に取り囲んでいる。
【００２３】
さらに、ロータ１５は、図示しない一対のアーム部を有している。アーム部は、既に知られているように、筒部１７の後端からリール本体２の前方に向けて延びるとともに、筒部１７を間に挟んでロータ１５の径方向に互いに向かい合っている。
【００２４】
図１に示すように、駆動軸筒１３の後部は、ギヤボックス６の内部に導かれている。駆動軸筒１３の後部にピニオンギヤ２０が形成されている。ピニオンギヤ２０は、ドライブギヤ１０と噛み合っている。
【００２５】
釣人が手でハンドル１１を回すと、ハンドル１１の回転がハンドル軸９、ドライブギヤ１０およびピニオンギヤ２０を介して駆動軸筒１３に伝わり、駆動軸筒１３がハンドル１１の操作に連動して回転する。これにより、駆動軸筒１３に直結されたロータ１５が釣糸を巻き取る方向に回転する。本実施の形態では、釣糸を巻き取る方向へのロータ１５の回転を正回転とし、釣糸を巻き取る方向とは逆方向へのロータ１５の回転を逆回転と規定している。
【００２６】
駆動軸筒１３の内側にスプール軸２１が挿通されている。スプール軸２１は、軸方向に直線的に往復動可能にリール本体２に支持されている。スプール軸２１の前部は、ロータ１５の前方に突出している。スプール軸２１の後部は、ピニオンギヤ２０を貫通してギヤボックス６の内部に導かれている。
【００２７】
スプール軸２１の前部にスプール２２が固定されている。スプール２２は、スカート部２３および釣糸巻回胴部２４を有している。スカート部２３は、ロータ１５の筒部１７を外側から同軸状に取り囲んでおり、このスカート部２３の外周面に沿ってロータ１５のアーム部が回転するようになっている。釣糸巻回胴部２４は、スカート部２３の前方に向けて同軸状に突出しており、この釣糸巻回胴部２４の前端に前側フランジ２５が形成されている。
【００２８】
図１に示すように、リール本体２のギヤボックス６内にギヤ方式のオシレート機構２６が収容されている。オシレート機構２６は、ハンドル軸９の回転運動を往復直線運動に変換してスプール軸２１に伝達する。そのため、ハンドル１１の操作によりロータ１５が回転すると、これと同期してスプール２２がスプール軸２１と一緒に軸方向に直線的に往復動するようになっている。
【００２９】
オシレート機構２６は、ギヤ方式に特定されるものではない。例えば、ギヤボックス６内にピニオンギヤ２０と噛み合うねじ軸を収容するとともに、スプール軸２２の後端にねじ軸のカム溝に係合する摺動子を固定した、いわゆるウォームシャフト方式のオシレート機構を用いてもよい。
【００３０】
図１に示すように、ロータ１５は、スプール２２の釣糸巻回胴部２４に釣糸を巻き付けるベールアーム機構２７を備えている。ベールアーム機構２７は、一対のベール支持部材２８（一方のみを図示）およびベール２９を有している。
【００３１】
ベール支持部材２８は、ロータ１５の各アーム部の前端部に回動可能に支持されており、一方のベール支持部材２８に釣糸をスプール２２に案内するラインローラ３０が設けられている。ベール２９は、スプール２２から放出された釣糸をピックアップするためのものであり、ベール支持部材２８の間に跨っている。
【００３２】
ベール支持部材２８は、釣糸巻き取り位置と、釣糸放出位置との間で選択的に回動可能にロータ１５に支持されている。ベール支持部材２８は、ロータの一方のアーム部に配置された公知の振り分け機構により、釣糸巻き取り位置および釣糸放出位置のいずれか一方に振り分けて保持されるとともに、他方に向けて反転動作が可能となっている。さらに、ベール支持部材２８は、釣糸を巻き取る方向にハンドル１１を操作した時に、公知の反転復帰機構により釣糸放出位置から釣糸巻き取り位置に自動的に復帰される。
【００３３】
図１および図２に示すように、リール本体２の円筒部７にローラ式の一方向クラッチ３１が収容されている。一方向クラッチ３１は、ロータ１５の回転方向を規制する逆転防止機構の一例であり、内輪３２、外輪３３および複数のローラ３４を備えている。
【００３４】
内輪３２は、駆動軸筒１３の外周面に同軸状に固定されて、この駆動軸筒１３およびロータ１５と一体に回転する。外輪３３は、円筒状の保護筒３５を介してリール本体２の円筒部７の内側に回転不能に嵌合されている。ローラ３４は、内輪３２と外輪３３との間に介在されているとともに、保持器３６を介して内輪３２および外輪３３の周方向に間隔を存して並んでいる。
【００３５】
外輪３３は、ローラ３４に対応する位置に、ローラ３４が入り込むように凹む複数のカム面３７を有している。各カム面３７は、ローラ３４の自由な回転を許容する自由回転領域と、ローラ３４の外周面に食い込むことでローラ３４の自由な回転を制限する規制領域とを含んでいる。自由回転領域と規制領域とは、外輪３３の周方向に並んでいる。ローラ３４を保持する保持器３６は、ローラ３４を自由回転領域に移動させるクラッチＯＦＦ位置と、ローラ３４を規制領域に移動させるクラッチＯＮ位置との間で回動が可能となっている。
【００３６】
保持器３６がクラッチＯＦＦ位置に回動されると、ローラ３４は内輪３２と外輪３３との間で自由に回転することができる。そのため、内輪３２と一体に回転するロータ１５は、正回転および逆回転が共に許容される正逆回転可能状態に移行する。
【００３７】
一方、保持器３６がクラッチＯＮ位置に回動されると、ローラ３４は、内輪３２がロータ１５と一緒に逆回転した時に、外輪３３のカム面３７と内輪３２の外周面との間に食い込んで自由な回転が制限される。このローラ３４の楔作用により、内輪３２の回転が阻止され、ロータ１５は、正回転を許容しつつ逆回転を禁止する逆転防止状態に移行する。
【００３８】
図１および図２に示すように、保持器３５は、操作部材３８を有している。操作部材３８は、外輪３３および保護筒３５を貫通して一方向クラッチ３１の外に突出している。一方向クラッチ３１を収容するリール本体２の円筒部７は、操作部材３８が入り込む収容部３９を有している。収容部３９は、円筒部７の径方向外側に向けて突出するとともに、円筒部７の軸方向に延びている。
【００３９】
図１に示すように、リール本体２は、一方向クラッチ３１をクラッチＯＦＦ位置又はクラッチＯＮ位置に操作する切り換え機構４１を備えている。切り換え機構４１は、操作軸４２と切り換えレバー４３とで構成されている。
【００４０】
操作軸４２は、リール本体２の前後方向に延びている。操作軸４２は、後半部４２ａと前半部４２ｂとを有している。後半部４２ａは、リール本体２のギヤボックス６に回動可能に支持されて、ハンドル軸９の上方に位置している。後半部４２ａの後端は、リール本体２の後端からリール本体２の外に突出している。前半部４２ｂは、後半部４２ａの回転中心線Ｏ１に対し偏心しているとともに、円筒部７の収容部３９内に導かれている。操作軸４２の前半部４２ｂの前端は、操作部材３８に開けた長孔３８ａを貫通している。
【００４１】
切り換えレバー４３は、操作軸４２の後半部４２ａの後端に取り付けられている。切り換えレバー４３は、釣人が手で操作できるようにリール本体２の外に露出している。切り換えレバー４３は、図２に実線で示す第１の位置と、図２に二点鎖線で示す第２の位置との間で移動可能となっている。
【００４２】
切り換えレバー４３を第１の位置に移動させると、操作軸４２が後半部４２ａの回転中心線Ｏ１の周りに所定の角度範囲に亘って回動する。この回動により、操作軸４２の回転中心線Ｏ１から偏心している前半部４２ｂが円弧を描くように揺動する。操作軸３２の前半部４２ｂの前端は、保持器３６の操作部材３８の長孔３８ａに係合しているので、操作軸３２の前半部４２ｂの動きが操作部材３８に伝わるとともに、この操作部材３８を介して保持器３６がクラッチＯＮ位置に回動される。
【００４３】
この結果、一方向クラッチ３１のローラ３４が外輪３３のカム面３７と内輪３２の外周面との間に食い込んで内輪３２の回転を阻止する。よって、ロータ１５は、正回転を許容しつつ逆回転を禁止する逆転防止状態に移行する。
【００４４】
切り換えレバー４３を第１の位置から第２の位置に移動させると、操作軸３２の前半部４２ｂの動きが操作部材３８を介して保持器３６に伝わり、この保持器３６がクラッチＯＦＦ位置に回動される。これにより、内輪３２と外輪３３との間でのローラ３４の挟み込みが解除されるので、ロータ１５は、正回転および逆回転が許容される正逆回転可能状態に移行する。
【００４５】
図１に示すように、操作軸４２の後半部４２ａの外周面に二つの平面を有する位置決め部４５が形成されている。位置決め部４５は、切り換えレバー４３を第１の位置又は第２の位置に移動させた時に、ギヤボックス６に固定した板ばね４６に接触する。この接触により、操作軸４２の自由な回動が制限されて、一方向クラッチ３１の保持器３６がクラッチＯＮ位置又はクラッチＯＦＦ位置に保持される。
【００４６】
図１および図３に示すように、リール本体２の円筒部７に収容部３９を横断するスリット状の溝部４８が形成されている。溝部４８は、ロータ１５の径方向に延びるとともに、収容部３９の外周面に開口している。
【００４７】
リール本体２の溝部４８に制動機構５０が組み込まれている。制動機構５０は、制動部材５１とコイルバネ５２とを備えている。制動部材５１は、例えば繊維強化樹脂やコルクのようなロータ１５よりも軟質な材料により長方形の板状に形成されている。制動部材５１は、溝部４８に摺動可能に嵌合されて、ロータ１５の径方向に移動可能となっている。制動部材５１は、先端縁部５１ａと基端縁部５１ｂとを有している。制動部材５１の先端縁部５１ａは、溝部４８からロータ１５の筒部１７の内周面に向けて突出している。
【００４８】
筒部１５の内周面に例えば金属製のライニング材５３が貼り付けられている。ライニング材５３は、筒部１５の周方向に連続するリング状をなすとともに、制動部材５１の先端縁部５１ａと向かい合っている。制動部材５１の先端縁部５１ａは、ライニング材５３の内周面に沿うように円弧状に湾曲している。
【００４９】
制動部材５１の基端縁部５１ｂは、溝部４８の底に位置している。基端縁部５１ｂの中央部に切り欠き５４が形成されている。コイルバネ５２は、切り欠き５４と溝部４８の底との間に圧縮状態で介在されている。
【００５０】
したがって、制動部材５１は、先端縁部５１ａがライニング材５３に押し付けられる制動位置と、先端縁部５１ａがライニング材５３から離脱する制動解除位置との間で移動可能であり、常にコイルバネ５２により制動位置に向けて付勢されている。
【００５１】
図３に示すように、制動部材５１の中央部に四角い貫通孔５６が形成されている。貫通孔５６は、リール本体２の収容部３９の内側に位置するとともに、この貫通孔５６を操作軸４２の前半部４２ｂが貫通している。
【００５２】
図３の（Ａ）に示すように、操作軸４２の前半部４２ｂは、切り換えレバー４３を第１の位置に移動させた時に、貫通孔５６の開口縁部５６ａに接触するように揺動する。この揺動により、制動部材５１がコイルバネ５２の付勢力に抗して溝部４８内に押し戻され、制動部材５１の先端縁部５１ａがライニング材５３から離脱する。
【００５３】
図３の（Ｂ）に示すように、操作軸４２の前半部４２ｂは、切り換えレバー４３を第１の位置から第２の位置に移動させた時に、貫通孔５６の開口縁部５６ａから離れる方向に揺動し、制動部材５１から切り離される。これにより、制動部材５１がコイルバネ５２の付勢力を受けて溝部４８からライニング材５３に向けて突出し、制動部材５１の先端縁部５１ａがライニング材５３に突き当たる。そのため、制動部材５１とライニング材５３との接触部分に摩擦抵抗が発生し、ロータ１５に直に制動力が付加される。
【００５４】
このような構成の魚釣用スピニングリール１において、例えば仕掛けを投擲する時、釣人は、切り換えレバー４３を第１の位置に移動させることで一方向クラッチ３１をクラッチＯＮ位置に操作し、かつベール２９を釣糸放出位置に回動させる。そのため、スプール２２から釣糸が放出される状態では、ベール２９が釣糸から離脱するとともに、ロータ１５は一方向クラッチ３１によって正回転のみが許容された逆転防止状態に保持されている。
【００５５】
さらに、切り換えレバー４３が第１の位置に移動された状態では、制動部材５１が操作軸４２の前半部４２ｂによって制動解除位置に押し戻されており、制動部材５１の先端縁部５１ａがロータ１５のライニング材５３から離脱している。したがって、ロータ１５に制動力が付与されることはなく、ロータ１５は釣糸を巻き取る方向に自由に回転し得る状態に保持されている。
【００５６】
よって、釣人が釣竿をスイングすると、その時の慣性により釣糸がスプール２２から勢いよく放出される。
【００５７】
このようにスプール２２から釣糸を放出する時は、一方向クラッチ３１をクラッチＯＮ位置に操作するとともに、ベール２９を釣糸放出位置に回動させることが基本となる。
【００５８】
ところが、実際の釣場の状況等により、釣人が誤って一方向クラッチ３１をクラッチＯＦＦ位置としたままベール２９を釣糸放出位置に回動させずに釣竿をスイングしてしまうと、釣糸巻き取り位置にあるラインローラ３０が釣糸により強く引かれて、ロータ１５が逆回転を開始する。
【００５９】
しかるに、上記第１の実施の形態によると、一方向クラッチ３１がクラッチＯＦＦ位置に操作されている状態では、切り換えレバー４３が第２の位置に保持されている。切り換えレバー４３が第２の位置にあると、操作軸４２の前半部４２ｂが制動部材５１から切り離されて、制動部材５１の先端縁部５１ａがロータ１５のライニング材５３に押し付けられている。そのため、制動部材５１とライニング材５３との接触部分に生じる摩擦抵抗がロータ１５の逆回転に対抗する制動力として働く。
【００６０】
このことから、釣人がキャスティングの基本を無視した不適切な釣糸の放出操作を行なったとしても、釣糸に引っ張られて逆回転するロータ１５に直接制動力が付与される。そのため、ロータ１５が超高速で逆回転するのを回避することができ、ロータ１５のアーム部に加わる負荷を軽減してロータ１５の破損を防止することができる。
【００６１】
さらに、逆回転するロータ１５の回転速度が低下して、仕掛けの投擲距離が不足することから、釣人は、切り換えレバー４３の位置およびベール２９の位置が不適切であることを知ることができる。そのため、釣人は、切り換えレバー４３およびベール２９を適正な位置に復帰させる動作に直ちに移行することができ、この点でもロータ１５の破損防止に有効に寄与するといった利点がある。
【００６２】
本発明は上記第１の実施の形態に特定されるものではなく、発明の主旨を逸脱しない範囲内で種々変形して実施することができる。
【００６３】
例えば、図４ないし図６は、本発明の第２の実施の形態を開示している。
【００６４】
この第２の実施の形態は、制動力を受けるロータ１５の構成が上記第１の実施の形態と相違しており、それ以外の魚釣用スピニングリールの構成は、第１の実施の形態と同様である。そのため、第２の実施の形態において、第１の実施の形態と同一の構成部分には同一の参照符号を付して、その説明を省略する。
【００６５】
図４に示すように、ロータ１５の筒部１７の内周面に一方向クラッチ６１が取り付けられている。一方向クラッチ６１は、ロータ１５と連動して回転する回転部材の一例であり、外輪６２、内輪６３および複数のローラ６４（一つのみを図示）を備えている。
【００６６】
外輪６２は、筒部１７の内周面に嵌合されている。外輪６２の外周面上に複数の凸部６５（一つのみを図示）が形成されている。凸部６５は、筒部１７の内周面に形成された凹部６６に係合されている。この係合により、筒部１７に対する外輪６２の周り止めがなされて、外輪６２が筒部１７と一体に回転する。
【００６７】
外輪６２は、筒部１７の内周面に位置する段差部６７と、筒部１７の内周面に取り付けたサークリップ６８との間で挟み込まれている。これにより、筒部１７の軸方向対する外輪６２の位置決めがなされている。
【００６８】
さらに、外輪６２の内周面に複数の凹部７０（一つのみを図示）が形成されている。凹部７０は、外輪６２の周方向に間隔を存して並んでいるとともに、各凹部７０の底にカム面７１が形成されている。
【００６９】
内輪６３は、外輪６２の内側に同軸状に保持されて、リール本体２の円筒部７および収容部３９を取り囲んでいる。内輪６３および外輪６２は、相対的に回転可能であり、内輪６３の内周面が制動部材５１の先端縁部５１ａと向かい合っている。制動部材５１の先端縁部５１ａは、内輪６３の内周面に沿うように円弧状に湾曲している。制動部材５１は、先端縁部５１ａが内輪６３の内周面に押し付けられる制動位置と、先端縁部５１ａが内輪６３の内周面から離脱する制動解除位置との間で移動可能となっている。
【００７０】
図５および図６に示すように、ローラ６４は、外輪６２と内輪６３との間に介在されている。ローラ６４は、夫々凹部７０に収容されて、カム面７１に接している。カム面７１は、ローラ６４の自由な回転を許容する自由回転領域と、ローラ６４の外周面に食い込むことでローラ６４の自由な回転を制限する規制領域とを含んでいる。自由回転領域と規制領域とは、外輪６２の周方向に並んでいる。カム面７１に接するローラ６４は、コイルバネ７２により常に規制領域に向けて付勢されている。
【００７１】
このような第２の実施の形態によると、釣人が一方向クラッチ３１をクラッチＯＦＦ位置としたままベール２９を釣糸放出位置に回動させずに釣糸の放出操作を行なった場合、釣糸巻き取り位置にあるラインローラ３０が釣糸により強く引かれて、ロータ１５が図  に矢印で示す方向に逆回転する。このロータ１５の逆回転に追従して一方向クラッチ６１の外輪６２が同方向に連れ回るので、ローラ６４がカム面７１の規制領域に移動する。これにより、ローラ６４が外輪６２のカム面７１と内輪６３との間に食い込んで自由な回転が制限される。このローラ６４の楔作用により、内輪６３および外輪６２た互いに結合されて、内輪６３がロータ１５と一緒に逆回転する。
【００７２】
さらに、一方向クラッチ３１がクラッチＯＦＦ位置に操作されている状態では、切り換えレバー４３が第２の位置に保持されている。切り換えレバー４３が第２の位置にあると、操作軸４２の前半部４２ｂが制動部材５１から切り離されて、図６に示すように、制動部材５１の先端縁部５１ａが内輪６３の内周面に押し付けられている。そのため、制動部材５１と内輪６３との接触部分に生じる摩擦抵抗がロータ１５の逆回転を制限する制動力として働く。
【００７３】
したがって、釣人がキャスティングの基本を無視した不適切な釣糸の放出操作を行なったとしても、釣糸に引っ張られて逆回転するロータ１５に一方向クラッチ６１を介して間接的に制動力が付与される。よって、ロータ１５が超高速で逆回転するのを回避することができ、ロータ１５の破損を防止することができる。
【００７４】
図７および図８は、本発明の第３の実施の形態を開示している。
【００７５】
この第３の実施の形態は、ロータ１５に制動力を付加するための構成が上記第１の実施の形態と相違しており、それ以外の魚釣用スピニングリールの構成は第１の実施の形態と同様である。そのため、第３の実施の形態において、第１の実施の形態と同一の構成部分には同一の参照符号を付して、その説明を省略する。
【００７６】
図７および図８に示すように、リール本体２のギヤボックス６の内部に制動機構８０が組み込まれている。制動機構８０は、円盤状のブレーキロータ８１と制動部材８２とを備えている。
【００７７】
ブレーキロータ８１は、駆動軸筒１３の外周面に同軸状に固定されて、駆動軸筒１３と一体に回転する。本実施の形態の場合、駆動軸筒１３はロータ１５と一体に回転するので、ブレーキロータ８１がロータ１５と連動して回転する回転部材の一例となっている。
【００７８】
制動部材８２は、ガイドピン８３を介して隔壁８のうちギヤボックス６に臨む面に支持されている。制動部材８２は、カム受け部８４と嵌合溝８５とを有している。カム受け部８４は、操作軸４２の後半部４２ａの真下に位置して、この後半部４２ａの外周面と向かい合っている。
【００７９】
嵌合溝８５は、カム受け部８４とブレーキロータ８１との間に位置している。嵌合溝８５は、ブレーキロータ８１の外周部が摺動可能に嵌合するように、ブレーキロータ８１の外周部に向けて開口している。
【００８０】
制動部材８２は、嵌合溝８５内にブレーキロータ８１の外周部が嵌合する制動位置と、嵌合溝８５からブレーキロータ８１の外周部が離脱する制動解除位置との間でスライド可能に隔壁８に支持されており、常にコイルバネ８７により制動解除位置に向けて付勢されている。
【００８１】
さらに、操作軸４２の後半部４２ａの外周面に、押圧カム８８が形成されている。押圧カム８８は、制動部材８２のカム受け部８４に向けて張り出すカムノーズ８９を有している。カムノーズ８９は、切り換えレバー４３を第２の位置に操作した時に、カム受け部８４に接触する。この接触により、制動部材８２がコイルバネ８７の付勢力に抗して制動解除位置から制動位置に向けて押圧され、ブレーキロータ８１の外周部が制動部材８２の嵌合溝８５に摺動可能に嵌合するようになっている。
【００８２】
このような第３の実施の形態によると、釣人が一方向クラッチ３１をクラッチＯＦＦ位置としたままベール２９を釣糸放出位置に回動させずに釣糸の放出操作を行なった場合、釣糸巻き取り位置にあるラインローラ３０が釣糸により強く引かれて、ロータ１５が逆回転する。ロータ１５のボス部１６は、駆動軸筒１３にロックナット１８を介して固定されているので、駆動軸筒１３およびブレーキロータ８１がロータ１５に追従して逆回転する。
【００８３】
さらに、一方向クラッチ３１がクラッチＯＦＦ位置に操作されている状態では、切り換えレバー４３が第２の位置に保持されている。切り換えレバー４３が第２の位置にあると、
図８に示すように、操作軸４２の上の押圧カム８８のカムノーズ８９が制動部材８２のカム受け部８４に当接し、制動部材８２を制動解除位置から制動位置に向けて押圧する。
【００８４】
これにより、制動部材８２の嵌合溝８５内にブレーキロータ８１の外周部が摺動可能に嵌合する。そのため、嵌合溝８５の内面とブレーキロータ８１との接触部分に摩擦抵抗が生じるとともに、この摩擦抵抗が駆動軸筒１３ひいてはロータ１５の逆回転に対抗する制動力として働く。
【００８５】
したがって、釣人がキャスティングの基本を無視した不適切な釣糸の放出操作を行なったとしても、釣糸に引っ張られて逆回転するロータ１５にブレーキロータ８１を介して間接的に制動力が付与される。よって、ロータ１５が超高速で逆回転するのを回避することができ、ロータ１５の破損を防止することができる。
【００８６】
なお、逆転防止機構は、上記第１の実施の形態のようなローラ式の一方向クラッチに限らない。例えば、逆転防止歯車および逆転防止歯車に引っ掛かる係止部材とを備えたラチェット式の一方向クラッチを用いてもよい。
【００８７】
さらに、一方向クラッチがクラッチＯＦＦ位置に切り換えられている時に、釣糸放出操作に伴う振動や慣性によって正回転しようとするロータに制動力を付与するようにしてもよい。
【図面の簡単な説明】
【００８８】
【図１】本発明の第１の実施の形態に係る魚釣用スピニングリールを一部断面で示す側面図。
【図２】本発明の第１の実施の形態に係る魚釣用スピニングリールの断面図。
【図３】（Ａ）は、図１のF3-F3線に沿う断面図、（Ｂ）は、制動部材がロータのライニング材に押し付けられた状態を示す断面図。
【図４】本発明の第２の実施の形態に係る魚釣用スピニングリールの断面図。
【図５】図４のF5-F5線に沿う断面図。
【図６】本発明の第２の実施の形態において、制動部材が一方向クラッチの内輪に押し付けられた状態を示す断面図。
【図７】本発明の第３の実施の形態において、スライド部材が制動解除位置に移動されて、制動部材の嵌合溝がブレーキロータから離脱した状態を示す断面図。
【図８】本発明の第３の実施の形態において、スライド部材が制動位置に移動されて、制動部材の嵌合溝がブレーキロータの外周部に嵌合した状態を示す断面図。
【符号の説明】
【００８９】
１…魚釣用スピニングリール、２…リール本体、１１…ハンドル、１５…ロータ、２２…スプール、２７…ベールアーム機構、３１…逆転防止機構（一方向クラッチ）、５０，８０…制動機構。
【図１】
2009153496.tif 000003
【図２】
2009153496.tif 000004
【図３】
2009153496.tif 000005
【図４】
2009153496.tif 000006
【図５】
2009153496.tif 000007
【図６】
2009153496.tif 000008
【図７】
2009153496.tif 000009
【図８】
2009153496.tif 000010